(57)【要約】【課題】明るさやコントラストを低下させることなくブラー現象を低減可能とし、ＩＰ変換による補間画素の出力レベル制御を可能とした装置および方法を実現する。【解決手段】フレームを時分割したサブフレームに基づいて、例えばＨＰＦにより高域強調サブフレーム、ＬＰＦにより高域抑圧サブフレームを生成し、生成した各サブフレームを交互に表示するとともに、ＩＰ変換において生成した補間画素の表示レベルを調整して例えば０〜１倍のレベルでの補間画素表示行なう。本構成により、明るさやコントラストを低下させることなくブラー現象を低減させることが可能となり、補間画素の表示レベルを低下させることで、忠実なオリジナルコンテンツの再生表示が実現される。【選択図】図５
2007304205.tif 000002
【特許請求の範囲】
【請求項１】
面ホールド型の表示処理を行なう表示部に対する画像表示処理を実行する画像表示装置であり、
インタレース信号を入力し、補間処理による補間画素を含むプログレッシブ信号を生成する信号変換処理を実行するＩＰ変換部と、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御部と、
前記第２出力制御部の出力する高域強調サブフレームと高域抑圧サブフレームとを交互に表示する表示部と、
を有することを特徴とする画像表示装置。
【請求項２】
前記画像表示装置は、さらに、
前記ゲイン制御部の実行する出力レベル調整処理の実行レベルを設定する設定値を入力するユーザ入力部を有し、
前記ゲイン制御部は、
前記ユーザ入力部において入力された設定値に従った出力レベル調整処理を実行する構成であることを特徴とする請求項１に記載の画像表示装置。
【請求項３】
前記ゲイン制御部は、
前記第１出力制御部の出力するサブフレーム画像に対して１倍以下の０〜１倍の範囲での出力レベル調整処理を実行する構成であることを特徴とする請求項１に記載の画像表示装置。
【請求項４】
前記高域強調サブフレーム生成部は、
高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする請求項１に記載の画像表示装置。
【請求項５】
前記高域抑圧サブフレーム生成部は、
低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする請求項１に記載の画像表示装置。
【請求項６】
前記高域強調サブフレーム生成部を構成する高域通過フィルタ（Ｈｉｇｈ  Ｐａｓｓ  Ｆｉｌｔｅｒ）と、前記高域抑圧サブフレーム生成部を構成する低域通過フィルタ（Ｌｏｗ  Ｐａｓｓ  Ｆｉｌｔｅｒ）は、各周波数における通過およびカット割合が相互に補完的な設定となるフィルタリング特性を有するフィルタとして構成されていることを特徴とする請求項１に記載の画像表示装置。
【請求項７】
前記フレーム制御部は、
入力画像としての６０Ｈｚ画像フレームを２つに時分割して１２０Ｈｚ画像サブフレームを生成し、
前記高域強調サブフレーム生成部および前記高域抑圧サブフレーム生成部の各々は、
前記フレーム制御部の生成した１２０Ｈｚ画像サブフレームに対応する高域強調サブフレームと、高域抑圧サブフレームとを生成する構成であり、
前記表示部は、
高域強調サブフレームと高域抑圧サブフレームとを１／１２０ｓｅｃ間隔で交互に表示する処理を実行する構成であることを特徴とする請求項１に記載の画像表示装置。
【請求項８】
前記表示部は、
液晶ディスプレイ（ＬＣＤ）または有機ＥＬによって構成される面ホールド型表示を行なう表示部であることを特徴とする請求項１から請求項７いずれかに記載の画像表示装置。
【請求項９】
画像信号の生成処理を実行する信号処理装置であり、
インタレース信号を入力し、補間処理による補間画素を含むプログレッシブ信号を生成する信号変換処理を実行するＩＰ変換部と、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御部と、
を有することを特徴とする信号処理装置。
【請求項１０】
前記ゲイン制御部は、
ユーザ入力部から入力された設定値に従った出力レベル調整処理を実行する構成であることを特徴とする請求項９に記載の信号処理装置。
【請求項１１】
前記ゲイン制御部は、
前記第１出力制御部の出力するサブフレーム画像に対して１倍以下の０〜１倍の範囲での出力レベル調整処理を実行する構成であることを特徴とする請求項９に記載の信号処理装置。
【請求項１２】
前記高域強調サブフレーム生成部は、
高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする請求項９に記載の信号処理装置。
【請求項１３】
前記高域抑圧サブフレーム生成部は、
低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする請求項９に記載の信号処理装置。
【請求項１４】
画像表示装置において画像処理を実行する画像処理方法であり、
ＩＰ変換部において、インタレース信号を入力し、補間処理による補間画素を含むプログレッシブ信号を生成する信号変換処理を実行するＩＰ変換ステップと、
フレーム制御部において、入力画像フレームを時分割して複数のサブフレームを生成するフレーム制御ステップと、
高域強調サブフレーム生成部において、前記フレーム制御部の生成したサブフレームに対するフィルタリング処理を行い、高域強調サブフレームを生成する高域強調サブフレーム生成ステップと、
高域抑圧サブフレーム生成部において、前記フレーム制御部の生成したサブフレームに対するフィルタリング処理を行い、高域抑圧サブフレームを生成する高域抑圧サブフレーム生成ステップと、
第１出力制御部において、前記高域強調サブフレーム生成部の生成した高域強調サブフレームと、前記高域抑圧サブフレーム生成部の生成した高域抑圧サブフレームとを交互に出力する第１出力制御ステップと、
ゲイン制御部において、前記第１出力制御部の出力するサブフレーム画像の出力レベル調整を行なうゲイン制御ステップと、
第２出力制御部において、前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御ステップと、
を有することを特徴とする画像処理方法。
【請求項１５】
画像表示装置における画像処理を実行させるコンピュータ・プログラムであり、
ＩＰ変換部において、インタレース信号を入力し、補間処理による補間画素を含むプログレッシブ信号を生成する信号変換処理を実行させるＩＰ変換ステップと、
フレーム制御部において、入力画像フレームを時分割して複数のサブフレームを生成させるフレーム制御ステップと、
高域強調サブフレーム生成部において、前記フレーム制御部の生成したサブフレームに対するフィルタリング処理を行い、高域強調サブフレームを生成させる高域強調サブフレーム生成ステップと、
高域抑圧サブフレーム生成部において、前記フレーム制御部の生成したサブフレームに対するフィルタリング処理を行い、高域抑圧サブフレームを生成させる高域抑圧サブフレーム生成ステップと、
第１出力制御部において、前記高域強調サブフレーム生成部の生成した高域強調サブフレームと、前記高域抑圧サブフレーム生成部の生成した高域抑圧サブフレームとを交互に出力させる第１出力制御ステップと、
ゲイン制御部において、前記第１出力制御部の出力するサブフレーム画像の出力レベル調整を行なわせるゲイン制御ステップと、
第２出力制御部において、前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力させる第２出力制御ステップと、
を実行させることを特徴とするコンピュータ・プログラム。
【発明の詳細な説明】
【技術分野】
【０００１】
本発明は、画像表示装置、信号処理装置、および画像処理方法、並びにコンピュータ・プログラムに関する。さらに、インタレース信号をプログレッシブ信号に変換するＩＰ変換を行って、例えば液晶ディスプレイなどの面ホールド型ディスプレイに画像表示を行なう構成において、画像のぼけであるブラー（Ｂｌｕｒｒｉｎｇ）現象を低減させた画像表示装置、信号処理装置、および画像処理方法、並びにコンピュータ・プログラムに関する。
【背景技術】
【０００２】
液晶ディスプレイ（ＬＣＤ）や有機ＥＬ等を利用したフラットパネルディスプレイ（ＦＰＤ）を利用した表示処理では、点順次インパルス駆動であるＣＲＴと異なり面ホールド表示による表示を行う。すなわち、例えば一般的なフレーム周波数６０Ｈｚで動作する場合、１つのフレームの表示期間（１／６０ｓｅｃ＝１６．７ｍｓｅｃ）毎にディスプレイ面全体で同一の画像をホールドする面ホールド型の表示を行なう。
【０００３】
このような面ホールド型の表示では、網膜残像による動画ぼけが発生する。すなわち、ＦＰＤなどの面ホールド型表示部に動く物体を表示した場合、目が移動表示物体を追従視することにより網膜上で画像がスリップして移動物体がぼけて見える所謂ブラー（Ｂｌｕｒｒｉｎｇ）現象が発生し動画品質を劣化させていた。
【０００４】
このブラー（Ｂｌｕｒｒｉｎｇ）現象を低減するための１つの構成として、高速応答性を有する表示装置を適用し、例えば１２０Ｈｚで表示切り替えを実行して、実際の表示画像を１／１２０ｓｅｃの期間に表示して、次の１／１２０ｓｅｃの期間に黒を表示し、次の１／１２０ｓｅｃの期間に次の実際の画像を表示し、さらに次に黒を表示するというように、表示されるフレーム間に黒を挿入してＦＰＤをインパルス駆動に近づける所謂黒挿入が提案されている。しかし、このように単純に黒を挿入した場合、その画像を観察する視聴者は、網膜上で黒を含めて明るさを積分する為、明るさやコントラストが半減してしまうという問題が発生する。
【０００５】
このような問題を解決する構成として、例えば特許文献１は、フレームをｎ倍速化した上で元フレーム未満の輝度レベルの映像をサブフレームとして挿入する構成とすることでインパルス駆動とコントラスト、明るさのトレードオフを実現する構成を提案している。
【０００６】
また、特許文献２においては、１フレーム期間の映像信号を複数のサブフレームに時分割して、時分割した複数のサブレーム間での輝度配分を調整して、時分割した複数のサブレームの輝度を積分した積分輝度を、オリジナルの１フレームの輝度と変わらない様に設定することで、明るさを低減させることなくインパルス駆動に近づける構成を開示している。
【０００７】
しかしながら、上述の特許文献１の構成では、インパルス駆動とコントラスト、明るさがトレードオフになり、ある程度のコントラストや明るさの低下は避けられないという問題がある。また、特許文献２の構成では、オリジナルフレームの画素の輝度レベルによっては、適切な輝度配分を行なって時分割フレームを設定しても十分な効果を得ることができない場合もある。特許文献２の構成においても、オリジナル画像の画素の画素値より低輝度の画素値を持つ時分割フレームを設定することが必要となるが、オリジナル画像の画素が元々低輝度である場合には、適切な画素値を持つ時分割フレームの設定が困難になるという問題がある。
【０００８】
さらに、画像表示に適用するコンテンツや放送信号の多くは、ＣＲＴ対応のインタレース方式に従った画像データとして生成されているのが現状である。すなわち、例えばＣＲＴの水平走査線に表示する１つの画像を２フィールドで構成し、まず、最初のフィールドで画面の上から１本おきに水平走査線を走査して下端に至った後、再度、上から、走査されていない１本おきの走査線を次フィールドで走査する処理によって画像表示を行なう。このように水平走査線を１本おきに下まで走査する処理を繰り返して実行することで１つの画面を生成するインタレース方式の画像コンテンツが多数ある。
【０００９】
ＬＣＤ等、面ホールド型の表示を行なう表示装置において、このようなインタレース方式の画像コンテンツの表示を行なうと、各表示フレームにおいて、表示画像信号が存在するラインと存在しないラインが交互に発生しフリッカが目立ち、かつ輝度が半減するという問題を発生させる。この問題を解決するため、インタレース信号をプログレッシブ信号に変換して表示する処理が行われる。インタレース信号をプログレッシブ信号に変換する処理はＩＰ変換と呼ばれる。
【００１０】
一般に、ＣＲＴにおいて、上述したような画面の上から１本おきに水平走査線を走査する処理をインタレース方式と呼び、画面を構成する複数本の水平走査線（水平表示ライン）を１本ずつ順番に走査する方式をプログレッシブ方式（順次走査方式）と呼ぶ。プログレッシブ方式では、全てのラインに対応する画素信号が提供されることになる。
【００１１】
インタレース方式の信号をプログレッシブ信号に変換するＩＰ変換においては、インタレース信号に含まれる信号の無いラインの信号を補間処理によって生成する。この補間処理によって生成した擬似的な信号を適用してインタレース信号をプログレッシブ信号として全ての画素に信号を含むプログレッシブ信号として表示が実行される。
【００１２】
ＩＰ変換における補間処理は、例えば空間あるいは時間方向における周囲画素の画素値に基づいて実行される。しかしながら、このように補間処理によって生成される画素は、例えば周囲の画素の画素値に類似する画素値を設定するといった処理が行なわれることが多く、上述した画像のぼけとしてのブラー（Ｂｌｕｒｒｉｎｇ）現象をさらに悪化させることがある。
【００１３】
またインタレース信号をプログレッシブ信号に変換するＩＰ変換では、本来、存在しないデータである画素の画素値を空間あるいは時間方向における周囲画素の画素値に基づいて類推して決定して表示する処理を実行するため、本来のインタレース信号を忠実に再現していることにはならない。従って、視聴者は、擬似的な画素値によって改変されたコンテンツを見ることになり、忠実なオリジナルコンテンツの再生を望むユーザにとっては迷惑となってしまうことがある。
【特許文献１】特開２００５−１２８４８８号公報
【特許文献２】特開２００５−１７３３８７号公報
【発明の開示】
【発明が解決しようとする課題】
【００１４】
本発明は、このような状況に鑑みてなされたものであり、液晶ディスプレイなどの面ホールド型ディスプレイにおいて発生する画像のぼけであるブラー（Ｂｌｕｒｒｉｎｇ）現象を、コントラストや明るさの低下を抑えながら低減させることを可能とした画像表示装置、信号処理装置、および画像処理方法、並びにコンピュータ・プログラムを提供することを目的とする。
【００１５】
さらに、ＩＰ変換における補間処理によって生成される補間画素の表示制御により、忠実なオリジナルコンテンツの再生表示を可能とした画像表示装置、信号処理装置、および画像処理方法、並びにコンピュータ・プログラムを提供することを目的とする。
【００１６】
さらに、詳細には、本発明は、入力画像を時分割したサブフレームを生成して、コントラスト変化が激しい部分（エッジ）、や輪郭等、周波数の高い画像領域（高域）を強調した高域強調サブフレームと、これらの高周波数領域を抑圧した高域抑圧サブフレームを生成して交互に出力することで、コントラストや明るさの低下を抑えてブラー（Ｂｌｕｒｒｉｎｇ）現象を低減させることを可能とし、さらに、ＩＰ変換に際して生成する補間画素の出力のゲイン制御により、補間された画素の表示制御を可能としてプログレッシブ信号として表示のみならず、忠実なオリジナルコンテンツの再生表示をも可能とする画像表示装置、信号処理装置、および画像処理方法、並びにコンピュータ・プログラムを提供することを目的とする。
【課題を解決するための手段】
【００１７】
本発明の第１の側面は、
面ホールド型の表示処理を行なう表示部に対する画像表示処理を実行する画像表示装置であり、
インタレース信号を入力し、補間処理による補間画素を含むプログレッシブ信号を生成する信号変換処理を実行するＩＰ変換部と、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御部と、
前記第２出力制御部の出力する高域強調サブフレームと高域抑圧サブフレームとを交互に表示する表示部と、
を有することを特徴とする画像表示装置にある。
【００１８】
さらに、本発明の画像表示装置の一実施態様において、前記画像表示装置は、さらに、前記ゲイン制御部の実行する出力レベル調整処理の実行レベルを設定する設定値を入力するユーザ入力部を有し、前記ゲイン制御部は、前記ユーザ入力部において入力された設定値に従った出力レベル調整処理を実行する構成であることを特徴とする。
【００１９】
さらに、本発明の画像表示装置の一実施態様において、前記ゲイン制御部は、前記第１出力制御部の出力するサブフレーム画像に対して１倍以下の０〜１倍の範囲での出力レベル調整処理を実行する構成であることを特徴とする。
【００２０】
さらに、本発明の画像表示装置の一実施態様において、前記高域強調サブフレーム生成部は、高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする。
【００２１】
さらに、本発明の画像表示装置の一実施態様において、前記高域抑圧サブフレーム生成部は、低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする。
【００２２】
さらに、本発明の画像表示装置の一実施態様において、前記高域強調サブフレーム生成部を構成する高域通過フィルタ（Ｈｉｇｈ  Ｐａｓｓ  Ｆｉｌｔｅｒ）と、前記高域抑圧サブフレーム生成部を構成する低域通過フィルタ（Ｌｏｗ  Ｐａｓｓ  Ｆｉｌｔｅｒ）は、各周波数における通過およびカット割合が相互に補完的な設定となるフィルタリング特性を有するフィルタとして構成されていることを特徴とする。
【００２３】
さらに、本発明の画像表示装置の一実施態様において、前記フレーム制御部は、入力画像としての６０Ｈｚ画像フレームを２つに時分割して１２０Ｈｚ画像サブフレームを生成し、前記高域強調サブフレーム生成部および前記高域抑圧サブフレーム生成部の各々は、前記フレーム制御部の生成した１２０Ｈｚ画像サブフレームに対応する高域強調サブフレームと、高域抑圧サブフレームとを生成する構成であり、前記表示部は、高域強調サブフレームと高域抑圧サブフレームとを１／１２０ｓｅｃ間隔で交互に表示する処理を実行する構成であることを特徴とする。
【００２４】
さらに、本発明の画像表示装置の一実施態様において、前記表示部は、液晶ディスプレイ（ＬＣＤ）または有機ＥＬによって構成される面ホールド型表示を行なう表示部であることを特徴とする。
【００２５】
さらに、本発明の第２の側面は、
画像信号の生成処理を実行する信号処理装置であり、
インタレース信号を入力し、補間処理による補間画素を含むプログレッシブ信号を生成する信号変換処理を実行するＩＰ変換部と、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御部と、
を有することを特徴とする信号処理装置にある。
【００２６】
さらに、本発明の信号処理装置の一実施態様において、前記ゲイン制御部は、ユーザ入力部から入力された設定値に従った出力レベル調整処理を実行する構成であることを特徴とする。
【００２７】
さらに、本発明の信号処理装置の一実施態様において、前記ゲイン制御部は、前記第１出力制御部の出力するサブフレーム画像に対して１倍以下の０〜１倍の範囲での出力レベル調整処理を実行する構成であることを特徴とする。
【００２８】
さらに、本発明の信号処理装置の一実施態様において、前記高域強調サブフレーム生成部は、高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする。
【００２９】
さらに、本発明の信号処理装置の一実施態様において、前記高域抑圧サブフレーム生成部は、低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする。
【００３０】
さらに、本発明の第３の側面は、
画像表示装置において画像処理を実行する画像処理方法であり、
ＩＰ変換部において、インタレース信号を入力し、補間処理による補間画素を含むプログレッシブ信号を生成する信号変換処理を実行するＩＰ変換ステップと、
フレーム制御部において、入力画像フレームを時分割して複数のサブフレームを生成するフレーム制御ステップと、
高域強調サブフレーム生成部において、前記フレーム制御部の生成したサブフレームに対するフィルタリング処理を行い、高域強調サブフレームを生成する高域強調サブフレーム生成ステップと、
高域抑圧サブフレーム生成部において、前記フレーム制御部の生成したサブフレームに対するフィルタリング処理を行い、高域抑圧サブフレームを生成する高域抑圧サブフレーム生成ステップと、
第１出力制御部において、前記高域強調サブフレーム生成部の生成した高域強調サブフレームと、前記高域抑圧サブフレーム生成部の生成した高域抑圧サブフレームとを交互に出力する第１出力制御ステップと、
ゲイン制御部において、前記第１出力制御部の出力するサブフレーム画像の出力レベル調整を行なうゲイン制御ステップと、
第２出力制御部において、前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力する第２出力制御ステップと、
を有することを特徴とする画像処理方法にある。
【００３１】
さらに、本発明の第４の側面は、
画像表示装置における画像処理を実行させるコンピュータ・プログラムであり、
ＩＰ変換部において、インタレース信号を入力し、補間処理による補間画素を含むプログレッシブ信号を生成する信号変換処理を実行させるＩＰ変換ステップと、
フレーム制御部において、入力画像フレームを時分割して複数のサブフレームを生成させるフレーム制御ステップと、
高域強調サブフレーム生成部において、前記フレーム制御部の生成したサブフレームに対するフィルタリング処理を行い、高域強調サブフレームを生成させる高域強調サブフレーム生成ステップと、
高域抑圧サブフレーム生成部において、前記フレーム制御部の生成したサブフレームに対するフィルタリング処理を行い、高域抑圧サブフレームを生成させる高域抑圧サブフレーム生成ステップと、
第１出力制御部において、前記高域強調サブフレーム生成部の生成した高域強調サブフレームと、前記高域抑圧サブフレーム生成部の生成した高域抑圧サブフレームとを交互に出力させる第１出力制御ステップと、
ゲイン制御部において、前記第１出力制御部の出力するサブフレーム画像の出力レベル調整を行なわせるゲイン制御ステップと、
第２出力制御部において、前記第１出力制御部の出力と、前記ゲイン制御部の出力を入力し、前記ＩＰ変換部の生成した補間画素をゲイン制御部の出力する出力レベル調整信号とし、補間画素以外のオリジナル画素信号を前記第１出力制御部の出力するレベル非調整信号として出力させる第２出力制御ステップと、
を実行させることを特徴とするコンピュータ・プログラムにある。
【００３２】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００３３】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３４】
本発明の一実施例の構成によれば、フレームを時分割して生成したサブフレームに基づいて、高域強調サブフレームと高域抑圧サブフレームとを生成して、これらを例えば１／１２０ｓｅｃごとに交互に表示する構成とし、さらに、ＩＰ変換において生成した補間画素の表示レベルを調整可能として例えば０〜１倍のレベルでの補間画素表示を可能とした。本構成により、明るさやコントラストを低下させることなくブラー（Ｂｌｕｒｒｉｎｇ）現象を低減した画像表示が実現される。すなわち、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象が低減され、また、高域抑圧サブフレームの挿入による画質に対する影響を高域強調サブフレームで補うことで、明るさやコントラストの低下のない画像表示が実現される。
【００３５】
また、本発明の一実施例の構成によれば、ＩＰ変換において生成した補間画素の表示レベルを調整可能として例えば０〜１倍のレベルでの補間画素表示を可能としたので、補間された画素の表示によるプログレッシブ信号表示のみならず、補間された画素の表示レベルを低下させることで、忠実なオリジナルコンテンツの再生表示も可能となる。
【発明を実施するための最良の形態】
【００３６】
以下、図面を参照しながら本発明の画像表示装置、信号処理装置、および画像処理方法、並びにコンピュータ・プログラムの詳細について説明する。説明は以下の項目
に従って行なう。
１．ブラー（Ｂｌｕｒｒｉｎｇ）現象について
２．ＩＰ変換について
３．本発明の装置構成および処理の詳細
【００３７】
［１．ブラー（Ｂｌｕｒｒｉｎｇ）現象について］
まず、最初に、例えば液晶ディスプレイなどの面ホールド型ディスプレイにおいて発生する画像のぼけであるブラー（Ｂｌｕｒｒｉｎｇ）現象について説明する。前述したように、面ホールド表示による表示を行う表示装置では、表示される移動物体がぼけて見えてしまうというブラー（Ｂｌｕｒｒｉｎｇ）現象が発生する。すなわち、網膜残像による動画ぼけである。この現象について、図１を参照して説明する。
【００３８】
ディスプレイに表示された動画中の移動物体を観察する場合、観察者は移動物体の特徴点を滑らかに追従視する。液晶ディスプレイ（ＬＣＤ）や有機ＥＬ等、面ホールド表示を行なうフラットパネルディスプレイ（ＦＰＤ）は、１フレーム期間中同じ画像が表示され続ける。例えば一般的なフレーム周波数６０Ｈｚで動作する場合、１つのフレームの表示期間（１／６０ｓｅｃ＝１６．７ｍｓｅｃ）において１つの固定画像が継続して表示され、１／６０ｓｅｃ毎に次フレーム画像へ切り替えて表示される。このような面ホールド表示画像を観察する時、観察者の追従視している眼球の網膜上にはホールド表示された移動オブジェクトがスリップして映ることになり、これが所謂ぼけとしてのブラー（Ｂｌｕｒｒｉｎｇ）やモーションブラー（ＭｏｔｉｏｎＢｌｕｒ）と言う動画ボヤケとして認識される。
【００３９】
この現象を説明する図が図１である。図１に示すグラフは、面ホールド型表示を行なう表示装置における表示データの時間遷移を示している。縦軸に画面内で移動するオブジェクト位置を、横軸は時間方向を示している。面ホールド表示においては、上述したように１つのフレームの表示期間（１／６０ｓｅｃ＝１６．７ｍｓｅｃ）において１つの画像が継続して表示される。１フレーム目の表示時間はｔ０〜ｔ１、２フレーム目の表示時間はｔ１〜ｔ２、３フレーム目の表示時間はｔ２〜ｔ３となっており、各フレームの表示期間は１／６０ｓｅｃである。
【００４０】
オブジェクト１０が、たとえば等速で移動するオブジェクトである場合、ｔ０〜ｔ１の期間の１フレーム目におけるオブジェクト表示位置はＰ１に固定され、次のフレーム切り替えタイミングｔ１において、オブジェクト表示位置はＰ１からＰ２に大きく移動して、ｔ１〜ｔ２の期間の２フレーム目における表示位置はＰ２に固定される。さらに、次のフレーム切り替えタイミングｔ２において、オブジェクト表示位置はＰ２からＰ３に大きく移動して、ｔ２〜ｔ３の期間の３フレーム目における表示位置はＰ３に固定されることになる。
【００４１】
このように移動するオブジェクト１０を観察する視聴者は、図１に示す視線移動軌跡１１に沿って、オブジェクト１０を追従視する。しかし、画面上の移動オブジェクトの表示位置は、視線移動軌跡１１と異なる位置にある。例えばフレーム２からフレーム３に切り替えの発生する時間ｔ２では、Ｐ２からＰ３の表示位置の切り替えが発生し、ユーザは、Ｐ２の位置からＰ３の位置までのオブジェクトの大きなスリップ画像を観察することになる。結果として、このスリップ量に相当するオブジェクトのぼけ、すなわちブラー（Ｂｌｕｒｒｉｎｇ）現象が発生する。図１に示すユーザ２１の網膜上には、移動するオブジェクト１０の画像が、図に示す領域Ｂ１に広がりを持った大きなぼけ量を有するオブジェクト画像が観察されることになる。
【００４２】
一方オブジェクト１０が画面上において移動しない固定された位置にあるオブジェクトである場合、すなわちフレーム１〜３において位置Ｐ１に固定されている場合、図１に示すユーザ２２は、オブジェクト１０の画像を固定位置で観察するため視線移動軌跡１５は固定され、ユーザ２２の網膜上には固定されたオブジェクト像がくっきり観察され、ブラー（Ｂｌｕｒｒｉｎｇ）現象が発生することはない。
【００４３】
一方、面ホールド型表示とは異なるＣＲＴのようなディスプレイにおいて行われるインパルス駆動型の表示処理について図２を参照して説明する。ＣＲＴでは、各画素を順次駆動させて表示を行なっており、面ホールド型表示に比較すると各画素の表示期間が短く設定される。
【００４４】
このようなインパルス駆動型の表示では、図２に示すように、移動するオブジェクト３０がディスプレイに表示されている期間は短くなる。ユーザは、先の図１を参照して説明したと同様、図２に示す視線移動軌跡３１に沿って、オブジェクト３０を追従視する。この場合、画面上において移動オブジェクトが表示される位置は、視線移動軌跡３１と大きく離れる位置には設定されない。最も大きく離れる部分は、例えば図２に示す時間ｔａであるが、この場合においても、極めて小さいスリップ量となる。また、時間ｔ２においても同様の極めて小さいスリップ量となる。結果として、ユーザ４１の網膜では、大きなぼけ量としては観察されず、小さいぼけ量Ｂが認識される程度となり、図１を参照して説明した面ホールド型表示のようなブラー（Ｂｌｕｒｒｉｎｇ）現象の発生が抑制されることになる。
【００４５】
［２．ＩＰ変換について］
先に説明したように、１本おきに水平走査線を走査するインタレース方式の画像を、例えば液晶ディスプレイなどの面ホールド型の表示装置に表示する場合、画像信号のないラインの画素値を補間処理によって決定して全ライン表示としたプログレッシブ方式に変換するＩＰ変換が実行される。
【００４６】
図３は、一般的なＩＰ変換処理構成を示す図である。図３（Ａ）はＩＰ変換前のインタレース方式の出力例を示している。左から時間ｔ０〜ｔ４の出力画素ラインを示している。例えば、時間ｔ０において、表示部５１の１つのラインおきに画素値の出力が実行され、次の時間ｔ１において、時間ｔ０で画素値出力を行わなかったラインの画素値出力が実行される。
【００４７】
時間ｔ０に出力されるインタレース信号が第１フィールド信号に対応し、時間ｔ１に出力されるインタレース信号が第２フィールド信号に対応し、この２つのフィールド信号によって１フレームが形成されることになる。
【００４８】
このインタレース信号を、面ホールド型表示を行なう表示部に表示すると、前述したように、表示画像信号が存在するラインと存在しないラインが交互に発生しフリッカが目立ち、かつ輝度が半減するという問題を発生させる。この問題を解決するため、インタレース信号をプログレッシブ信号に変換するＩＰ変換が実行される。
【００４９】
ＩＰ変換後の画像が図３（Ｂ）に示す画像である。図３（Ｂ）に示すように、元々の表示画像信号が存在するオリジナルライン６１と、元々の表示画像信号が存在しない補間ライン６２が同一時間の表示画像においては、垂直に１つおきに交互に配置され、時間軸方向にも１つおきに配置された構成となる。
【００５０】
ＩＰ変換の方式について、図４を参照して説明する。ＩＰ変換の方式としては、図４に示す様に、時間方向における前後のフレームのラインから補間を行うフレーム間補間と、同一フレームの上下のラインから補間を行う面内補間があり、その切り替え、または配分を画像特徴に応じてリアルタイムに切り替える方法が一般的である。具体的には、動き情報を取得して、その配分比率を変更する処理などによって、補間画素の画素値を決定する。
【００５１】
補間画素の画素値は、このように時間方向または、面方向にある画素の画素値に基づいて、例えば周囲画素の画素値平均を算出して設定する方法がとられる。しかし、この補間処理によって決定される画素値は、インタレース画像の内容によっては、実際の画像に対応する画素値とは異なる画素値が設定されてしまう場合が発生し、画質を劣化させる要因ともなっている。
【００５２】
このような補間処理によって生成される画素の画素値はあくまでも面方向または時間方向の周囲画素に基づいて推定された画素値であり擬似的な画素である。従って、視聴者は、擬似的な画素値によって改変されたコンテンツを見ることになり、忠実なオリジナルコンテンツの再生を望むユーザにとっては迷惑となってしまうことがある。
【００５３】
また、ＩＰ変換における補間処理は空間あるいは時間方向における周囲画素の画素値に類似する画素値を設定するといった処理が行なわれることが多く、上述した画像のぼけとしてのブラー（Ｂｌｕｒｒｉｎｇ）現象をさらに悪化させることがある。
【００５４】
［３．本発明の装置構成および処理の詳細］
次に、本発明の装置構成および処理の詳細について説明する。本発明の画像表示装置では、ＬＣＤや有機ＥＬ、その他の様々な面ホールド型表示処理を実行する構成において、ブラー（Ｂｌｕｒｒｉｎｇ）現象の発生を抑制するとともに明るさやコントラストの低減を抑えた構成を実現する。さらに、ＩＰ変換に際して生成する補間画素の出力のゲイン制御により、補間された画素の表示制御を行なうことで、プログレッシブ信号表示のみならず、忠実なオリジナルコンテンツの再生表示をも可能とする構成を実現する。
【００５５】
具体的には、インタレース信号をプログレッシブ信号に変換するＩＰ変換を行って、液晶ディスプレイなどの面ホールド型ディスプレイに画像表示を行なう構成において、フレームを時分割してサブフレームを生成する際、画像に含まれるエッジや輪郭領域などの高周波数領域を強調した高域強調サブフレームと高域抑圧サブフレームとを生成して、これらを例えば１／１２０ｓｅｃごとに交互に表示することで、コントラストや明るさの低下を抑えてブラー（Ｂｌｕｒｒｉｎｇ）現象を低減させる処理を行い、ＩＰ変換に際して生成する補間画素の出力のゲイン制御により、補間された画素の表示制御を行なう。
【００５６】
一般的にディスプレイに表示される画像を観察する視聴者が、画像のぼけを大きく感ずる部分は、コントラスト変化が激しい部分（エッジ）や輪郭等、いわゆる空間周波数の高い画像領域である。一方、例えばディスプレイに表示された空などの一様な空間周波数の低い画像領域については、動きを伴う表示がなされた場合でもぼけを感じることは少ない。本発明では、このような視覚特性に基づいて、画像に含まれるエッジや輪郭領域などの高周波数領域と、それ以外の低周波数領域とに対して、それぞれの領域に応じた異なる処理を施すことで、コントラストや明るさの低下を抑えてブラー（Ｂｌｕｒｒｉｎｇ）現象を低減させる。
【００５７】
本発明の実行する画像表示処理では、入力画像を時分割したサブフレームを生成して、コントラスト変化が激しい部分（エッジ）、や輪郭等、周波数の高い画像領域（高域）を強調した高域強調サブフレームと、これらの高周波数領域を抑圧した高域抑圧サブフレームを生成して交互に出力する。ブラー（Ｂｌｕｒｒｉｎｇ）現象は画像における高周波領域でより目立つ現象であり、一方、明るさやコントラストは画像の直流成分が関係している。
【００５８】
本発明では、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象の効果的な低減を実現する。また、高域抑圧サブフレームの挿入による画質に対する影響を高域強調サブフレームで補うことで、明るさやコントラストの低下することのない画像表示を実現する。
【００５９】
本発明の処理の詳細について、図５以下を参照して説明する。図５は、本発明の画像表示装置における信号処理回路を示すブロック図である。本発明の画像処理装置は図５に示すようにＩＰ変換部１００、フレーム制御部１０１、高域強調サブフレーム生成部１０２と、高域抑圧サブフレーム生成部としてのローパスフィルタ（ＬＰＦ）１０３と、第１セレクタ１０４、ゲイン制御部１０５、第２セレクタ１０６、制御部１０７、ユーザ入力部１０８を有する。高域強調サブフレーム生成部１０２には、ハイパスフィルタ（ＨＰＦ）１２１と、加算器１２２が含まれる。
【００６０】
入力信号（ｉ＿ＤＡＴＡ）は、インタレース信号であり、入力信号（ｉ＿ＤＡＴＡ）が、まずＩＰ変換部１００に入力され、インタレース信号からプログレッシブ信号への変換処理、すなわちＩＰ変換が実行されプログレッシブ信号が生成される。ＩＰ変換部１００におけるＩＰ変換処理は、先に図３、図４を参照して説明した処理である。
【００６１】
すなわち、図４を参照して説明した様に、時間方向における前後のフレームのラインから補間を行うフレーム間補間と、同一フレームの上下のラインから補間を行う面内補間があり、その切り替え、または配分を動きベクトル情報などの画像特徴に応じてリアルタイムに切り替えて補間処理が実行されて補間画素の画素値が決定されてプログレッシブ信号が生成される。
【００６２】
ＩＰ変換部１００において生成されたプログレッシブ信号は、フレーム制御部１０１に入力される。フレーム制御部１０１は、入力されるプログレッシブ信号からなる画像データをｎ倍速化して、１つのフレームをｎ個のサブフレームに分割して出力する。
【００６３】
例えば、６０Ｈｚの画像を入力し、ｎ＝２とした場合、１つのフレームを２つのサブフレームに時分割して１２０Ｈｚの画像に変換して出力する。具体的には、フレーム制御部１０１は、フレームメモリを有し、フレームメモリからのフレーム画像出力タイミングが制御部１０７によって制御されて、後段の高域強調サブフレーム生成部１０２のハイパスフィルタ（ＨＰＦ）１２１と、高域抑圧サブフレーム生成部としてのローパスフィルタ（ＬＰＦ）１０３に出力される。
【００６４】
ハイパスフィルタ（ＨＰＦ）１２１およびローパスフィルタ１０３においては、フレーム制御部１０１から時分割されたサブフレームを交互に入力して、それぞれの入力サブフレームに対する低域カット処理または高域カットを実行して出力する。
【００６５】
ハイパスフィルタ（ＨＰＦ）１２１は、高域通過フィルタ（Ｈｉｇｈ  Ｐａｓｓ  Ｆｉｌｔｅｒ）であり、入力するサブフレーム画像から空間周波数の低い部分をカットして、コントラスト変化が激しい部分（エッジ）や輪郭等、高周波数領域を通過させるフィルタリング処理を実行する。ハイパスフィルタ（ＨＰＦ）１２１の出力データは、加算器１２２において、フィルタリング処理を実行する前のオリジナル画像に基づくサブフレーム画像と加算されて、第１セレクタ１０４に出力される。加算器１２２の出力は、コントラスト変化が激しい部分（エッジ）や輪郭等、高周波数領域の強調された高域強調サブフレーム画像となる。
【００６６】
一方、ローパスフィルタ（ＬＰＦ）１０３は、低域通過フィルタ（Ｌｏｗ  Ｐａｓｓ  Ｆｉｌｔｅｒ）であり、入力するサブフレーム画像から空間周波数の高い部分をカットして、低周波数領域を通過させるフィルタリング処理を実行する。ローパスフィルタ（ＬＰＦ）１０３の出力データは、第１セレクタ１０４に出力される。ローパスフィルタ（ＬＰＦ）１０３の出力は、コントラスト変化が激しい部分（エッジ）や輪郭等、高周波数領域が抑圧された高域抑圧サブフレーム画像となる。なお、このＬＰＦ処理は高域が抑圧されるのみであり、低域成分としての直流成分に対する影響はなく、明るさやコントラストが大きく低下することはない。
【００６７】
第１セレクタ１０４は、加算器１２２の出力である高域強調サブフレームと、ローパスフィルタ（ＬＰＦ）１０３の出力である高域抑圧サブフレームとを、予め定めた出力タイミングで交互に出力する出力制御部として機能する。制御部１０７から出力されるタイミング制御信号によって各サブフレームの出力タイミングが制御される。
【００６８】
例えば、入力画像が６０Ｈｚの画像であり、フレーム制御部１０１において１２０Ｈｚのサブフレームが生成されて、ハイパスフィルタ（ＨＰＦ）１２１とローパスフィルタ（ＬＰＦ）１０３において、それぞれ１２０Ｈｚ対応のサブフレームに対するフィルタリング処理がなされて、これらの結果データが第１セレクタ１０４に入力される構成とした場合、１／１２０ｓｅｃ毎に、それぞれのサブフレーム画像、すなわち、加算器１２２の出力である高域強調サブフレームと、ローパスフィルタ（ＬＰＦ）１０３の出力である高域抑圧サブフレームを交互に出力する。
【００６９】
この高域強調サブフレームと、高域抑圧サブフレームは、さらに、ゲイン制御部１０５と、第２セレクタ１０６に出力される。ゲイン制御部１０５は、入力する各フレームのゲイン制御を実行する。ゲイン制御は入力画素値信号の出力レベル調整を実行し、出力レベルを１倍以下のレベルに低下させる処理を実行する。すなわち出力信号の輝度レベルを低下させるゲイン制御を実行する。このゲイン低下処理の目的は、ＩＰ変換において補間処理によって生成された補間画素の出力レベルを低下させることが目的である。
【００７０】
第２セレクタ１０６は、第１セレクタ１０４から出力される高域強調サブフレームと、高域抑圧サブフレームを入力するとともに、ゲイン制御部１０５においてレベル低下された高域強調サブフレームと、高域抑圧サブフレームを入力して、これらを制御信号に基づいて各ライン単位で選択して出力する。すなわち、ＩＰ変換において補間処理によって生成された画素ラインについては、ゲイン制御部１０５においてレベル低下されたデータを出力し、補間画素ライン以外のオリジナル画素ラインについては、第１セレクタ１０４から直接入力され、ゲイン制御のなされていないデータを出力する。
【００７１】
ＬＣＤ等の面ホールド型表示を実行する表示部には、この出力結果が表示される。すなわち、高域強調サブフレームと高域抑圧サブフレームとが１／１２０ｓｅｃごとに交互に表示され、かつ、ＩＰ変換において補間処理によって生成された画素ラインについては、ゲイン制御部１０５においてレベル低下されたデータが出力表示される。
【００７２】
なお、ゲイン制御部１０５におけるレベル低下の設定は、ユーザ入力部１０８を介して設定が可能である。例えばゲイン制御部１０５において入力画素値信号の出力レベルを１倍〜０倍にするレベル設定が可能である。０倍とした場合は、補間画素の出力は黒画素として出力され、インタレース画像としてのオリジナル画像を反映した画像を表示して見ることができる。一方、１倍とした場合は、ＩＰ変換によって生成された補間画素の画素値をそのまま出力することになりＩＰ変換によって生成したプログレッシブ画像を表示して見ることができる。
【００７３】
このように、本発明においては、ゲイン制御部１０５の制御により、補間画素のレベル制御が可能であり、ユーザの好みの画像を調整して表示出力することが可能となる。さらに、本発明においては、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象の低減が可能となり、また、高域抑圧サブフレームの挿入による画質に対する影響、例えばコントラスト低下を高域強調サブフレームで補うことで、明るさやコントラストの低下することのない画像表示が実現される。
【００７４】
図６以下を参照して、本発明の実行する信号処理について説明する。図６は、本発明の装置における出力信号のベースとなるサブフレームの生成、出力処理を説明する図である。図には、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００７５】
図に示す例は、（ａ）入力垂直同期信号は６０Ｈｚ対応の同期信号であり、（ｂ）入力データ（ｉ＿ＤＡＴＡ）はＦ０，Ｆ１，Ｆ２・・・が６０Ｈｚ対応のフレーム画像データに相当し、図５に示すＩＰ変換部１００の生成したプログレッシブ画像の各フレーム画像に相当する。先に、図５を参照して説明したように、本発明の画像表示装置では、例えば６０Ｈｚ画像を１２０Ｈｚ画像として出力する。すなわち１フレーム画像から２つのサブフレーム画像を生成して出力する。
【００７６】
図に示すように、（ｃ）出力垂直同期信号は１２０Ｈｚの同期信号であり、この同期信号に従って、サブフレームＦ０，Ｆ０，Ｆ１，Ｆ１，Ｆ２・・・が順次、出力される。本発明の画像表示装置では、この信号処理を基本として、さらにサブフレームＦ０，Ｆ０，Ｆ１，Ｆ１，Ｆ２・・・を、それぞれ、高域強調サブフレームと高域抑圧サブフレームとして交互に出力する構成としたものである。
【００７７】
先に、背景技術の欄で説明した黒挿入処理に対応する入力および出力信号構成について、図７を参照して説明する。図７も、図６と同様、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００７８】
図７に示す例では、１２０Ｈｚ出力画像を構成するサブフレームをオリジナル画像と同じ画像からなるオリジナル画像サブフレームと、画素値を黒に設定した黒画像サブフレームの組み合わせとして、この２つの画像を交互に表示する構成としたものである。このような黒挿入処理によりブラー（Ｂｌｕｒｒｉｎｇ）現象を低減させることが可能となる。これは、この黒挿入によって、先に、［１．ブラー（Ｂｌｕｒｒｉｎｇ）現象について］において説明した図１に示す面ホールド型表示を、図２に示すインパルス駆動と同様の表示態様に設定することに相当するからである。しかし、この処理によって試聴者の見る画像は、画面全体が暗くなりまたコントラストが低下した画像となってしまう。
【００７９】
図８は、図５を参照して説明した本発明の信号処理に従った入出力信号の対応を示す図である。図８も、図６、図７と同様、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００８０】
図８に示す例も、入力画像が６０Ｈｚの画像であり、出力を１２０Ｈｚのサブフレームからなる画像とした例である。すなわち、図５に示すフレーム制御部１０１における画像フレームのｎ分割処理によるサブフレーム生成を、ｎ＝２として設定して１２０Ｈｚのサブフレームを生成した場合の処理に相当する。
【００８１】
図８に示す（ｃ）出力垂直同期信号は１２０Ｈｚの同期信号であり、この同期信号に従って、サブフレームＦ０，Ｆ０，Ｆ１，Ｆ１，Ｆ２・・・が順次、図８に示すように、サブフレームＦ０，Ｆ０，Ｆ１，Ｆ１，Ｆ２・・・は、それぞれ、高域強調サブフレームと高域抑圧サブフレームとが交互に出力される構成となっている。個の出力は、図５に示す第１セレクタ１０４の出力に相当する。
【００８２】
すなわち、高域強調サブフレームは、図５に示すハイパスフィルタ（ＨＰＦ）１２１において高域通過フィルタリング処理がなされたＨＰＦ処理データと、加算器１２２において、フィルタリング処理実行前のデータとの加算結果として生成される高域強調サブフレームであり、高域抑圧サブフレームは、図５に示すローパスフィルタ（ＬＰＦ）１０３において低域通過フィルタリング処理によって、空間周波数の高い部分がカットされた高域抑圧サブフレームである。
【００８３】
この高域強調サブフレームと、高域抑圧サブフレームは、さらに、ゲイン制御部１０５と、第２セレクタ１０６に出力され、ゲイン制御部１０５においてゲイン制御がなされて輝度レベルを低下させたフレーム信号と、ゲイン制御のなされない信号とが、第２セレクタ１０６に入力されて、これらを制御信号に基づいて各ライン単位で選択して出力する。すなわち、ＩＰ変換において補間処理によって生成されたラインについては、ゲイン制御部１０５においてレベル低下されたデータを出力し、オリジナル画素ラインについては、第１セレクタ１０４から直接入力され、ゲイン制御のなされていないデータを出力する。
【００８４】
ＬＣＤ等の面ホールド型表示を実行する表示部には、この出力結果が表示される。すなわち、高域強調サブフレームと高域抑圧サブフレームとが１／１２０ｓｅｃごとに交互に表示される。前述したように、ブラー（Ｂｌｕｒｒｉｎｇ）現象の目立つ領域であるコントラスト変化が激しい部分（エッジ）や、輪郭等、周波数の高い画像領域（高域）を抑圧した高域抑圧サブフレームを、高域強調サブフレームの間に表示することで、ブラー（Ｂｌｕｒｒｉｎｇ）現象が低減される。また、高域抑圧サブフレームの挿入による画質に対する影響を高域強調サブフレームで補うことで、明るさやコントラストの低下することのない画像表示が実現される。
【００８５】
例えば１２０Ｈｚで更新するＦＰＤ（フラットパネル・ディスプレイ）を使用して６０Ｈｚのソース画像を表示した場合に１フレームを単純に２回表示するのではなく、高域強調サブフレームと高域抑圧サブフレームとを１／１２０ｓｅｃごとに交互に表示することで、画像の特徴点である高域成分ではフレーム毎に黒が挿入されたこととほぼ同じ効果が表れ、結果として高域成分は１／６０秒周期で表示されたインパルス駆動に近づくが低域は、ほとんど何も処理されないデータであるため、明るさやコントラストを全く犠牲にすることなくブラー（Ｂｌｕｒｒｉｎｇ）現象を低減することができる。
【００８６】
さらに、本発明の構成では、ＩＰ変換において補間処理によって生成された画素ラインについては、ゲイン制御部１０５においてレベル低下されたデータが出力表示される。前述したように、ゲイン制御部１０５におけるレベル低下量は、ユーザ入力部１０８を介して設定が可能であり、０倍とした場合は、補間画素の出力は黒画素として出力され、インタレース画像としてのオリジナル画像を反映した画像を見ることができ、１倍とした場合は、ＩＰ変換によって生成された補間画素の画素値をそのまま出力することになりＩＰ変換によって生成したプログレッシブ画像を見ることができる。
【００８７】
なお、図５を参照して説明したハイパスフィルタ（ＨＰＦ）１２１とローパスフィルタ（ＬＰＦ）１０３のフィルタリング特性は、高域強調サブフレームと高域抑圧サブフレームとが交互に表示される出力画像を見たユーザの網膜上での積分画像がオリジナル画像を見た場合とほぼ同一のレベルとなる設定とすることが好ましい。例えば、図９に示すように、ＨＰＦ、ＬＰＦの各周波数における通過およびカット割合が相互に補完的な設定となるフィルタリング特性となるようなフィルタとして構成とする。
【００８８】
図９に示すグラフは、図５を参照して説明したハイパスフィルタ（ＨＰＦ）１２１とローパスフィルタ（ＬＰＦ）１０３の入力周波数（横軸）に対する出力周波数（縦軸）特性を示している。ハイパスフィルタ（ＨＰＦ）１２１は低域成分をカットし高域成分を通過させ、ローパスフィルタ（ＬＰＦ）１０３は高域成分をカットし低域成分を通過させる特性であるが、図に示すように、それぞれのフィルタのカット分が、他方のフィルタの通過分に相当する設定とすることで、交互に出力されるサブフレーム画像の積分値は、オリジナル画像と等しくなり、サブフレームから構成される出力画像のユーザにおける視覚的認識画像は、オリジナル画像と同様となる。図５に示すハイパスフィルタ（ＨＰＦ）１２１とローパスフィルタ（ＬＰＦ）１０３は、このように相互に補完的なフィルタリング特性を持つ設定とすることが好ましい。
【００８９】
図１０に図９に示すフィルタ出力特性を持つフィルタリング処理の例について説明する。図１０（１）はフィルタリング処理を行なう前の画像の画素位置と輝度分布の例を示している。図１０（２ａ）は、ＨＰＦを適用した高域強調画像であり、エッジ部分が強調された出力、すなわち高域強調サブフレームが生成されて出力される。図１０（２ｂ）は、ＬＰＦを適用した高域抑圧画像であり、エッジ部分がなめらかにされた出力、すなわち高域抑圧サブフレームが生成されて出力される。ユーザは、これらの高域強調画像と、高域抑圧画像を交互に観察することになり、ユーザの網膜上ではこの２つのサブフレーム画像の積分結果の画像を認識する。この認識画像が図１０（２ｃ）に示す画像、すなわち（２ａ）＋（２ｂ）を認識することになる。この（２ｃ）＝（２ａ）＋（２ｂ）の画像が、図１０（１）の処理前画像と同様のレベルであれば、サブフレームから構成される出力画像のユーザにおける視覚的認識画像は、オリジナル画像と同様となる。図５に示すハイパスフィルタ（ＨＰＦ）１２１とローパスフィルタ（ＬＰＦ）１０３を図９に示すように相互に補完的なフィルタリング特性を持つ設定とすることで、図１０（２ｃ）に示す画像は、図１０（１）の処理前画像と同様となり、サブフレームから構成される出力画像のユーザにおける視覚的認識画像は、オリジナル画像と同様となる。
【００９０】
次に、図１１、図１２を参照して、本発明の処理を適用した場合において、ＬＣＤ等の表示装置の表示画素に表示されるデータについて説明する。図１１（Ａ），（Ｂ）は、図５の画像表示装置におけるＩＰ変換部１００の処理、すなわちＩＰ変換処理構成を示している。図１１（Ａ）は入力するインタレース信号をディスプレイに表示した場合の垂直（縦）方向の表示画素を時系列にｔ０，ｔ２，ｔ４，ｔ６のデータとして図に示す表示部２０１に示される縦ラインに対応する画素データを示している。入力画像は６０Ｈｚ画像であるので、ｔ０，ｔ２，ｔ４，ｔ６の各々の間隔は、１／６０ｓｅｃである。
【００９１】
ＩＰ変換部１００は、先に図３、図４を参照して説明したように、時間方向における前後のフレームのラインから補間を行うフレーム間補間、または同一フレームの上下のラインから補間を行う面内補間を動きベクトル情報などの画像特徴に応じて切り替え、または配分調整をして補間処理を実行して補間画素の画素値を決定してプログレッシブ信号を生成する。図１１（Ｂ）に示すように、元々の表示画像信号が存在するオリジナルラインと、元々の表示画像信号が存在しない補間ラインが同一フレームにおいては、垂直に１つおきに交互に配置され、時間軸方向にも１つおきに配置された構成となる。
【００９２】
さらに、この補間処理によって生成されたプログレッシブ画像は、図５に示すフレーム制御部１０１において、ｎ倍速化されて、１つのオリジナルフレームからｎ個のサブフレームが生成される。ｎ＝２とした場合、１つのオリジナルフレームから２個のサブフレームを生成して１２０Ｈｚ画像信号を生成する。
【００９３】
この１２０Ｈｚ画像信号をディスプレイ表示した場合の例が、図１２（Ｃ）に対応する。この表示処理例は、先に図６を参照して説明した信号処理を行ったデータをそのまま表示した場合の表示例に相当する。時間ｔ０〜ｔ１、ｔ１〜ｔ２・・・の間隔は１／１２０ｓｅｃであり、１２０Ｈｚでのサブフレーム表示がなされることになる。
【００９４】
本発明の画像表示装置では、さらに、サブフレームの各々を交互に高域強調サブフレームと高域抑圧サブフレームに設定して出力する。すなわち、高域強調サブフレームは、図５に示すハイパスフィルタ（ＨＰＦ）１２１において高域通過フィルタリング処理がなされたＨＰＦ処理データと、加算器１２２において、フィルタリング処理実行前のデータとの加算結果として生成される高域強調サブフレームであり、高域抑圧サブフレームは、図５に示すローパスフィルタ（ＬＰＦ）１０３において低域通過フィルタリング処理によって、空間周波数の高い部分がカットされた高域抑圧サブフレームである。
【００９５】
この処理結果の出力が、図１２（Ｄ）に示す構成となる。図１２（Ｄ）において、時間ｔ０〜ｔ１、ｔ１〜ｔ２・・・の間隔は１／１２０ｓｅｃであり、１２０Ｈｚで、高域強調サブフレームと高域抑圧サブフレームとが交互に出力される。このようなサブフレーム出力を行なうことで、ブラー（Ｂｌｕｒｒｉｎｇ）現象の低減とともに、明るさやコントラストの低下することのない画像データが生成される。
【００９６】
さらに、本発明の構成では、ＩＰ変換において補間処理によって生成された画素ラインについて、ゲイン制御部１０５においてレベル低下を行い、第２セレクタ１０６において、各ライン毎にデータを選択して出力する。すなわち、補間処理によって生成された画素以外のオリジナルラインは、ゲインを変更することなく出力し、補間処理によって生成された画素ラインについては、ゲイン制御部１０５においてレベル低下された信号を出力する。
【００９７】
この処理結果の出力が、図１３（Ｅ）に示す構成となる。図１３（Ｄ）は図１２（Ｄ）と同一であり、高域強調サブフレームと高域抑圧サブフレームとが交互に出力される場合のデータである。この出力が、ゲイン制御部１０５と第２セレクタ１０６に入力され、最終的に表示部に出力される信号が、図１３（Ｅ）に示す構成となる。
【００９８】
図１３（Ｅ）に示す構成において、時間ｔ０〜ｔ１、ｔ１〜ｔ２・・・の間隔は１／１２０ｓｅｃであり、１２０Ｈｚで、高域強調サブフレームと高域抑圧サブフレームとが交互に出力される。さらに、各サブフレームに含まれる補間ラインは、ゲイン制御部１０５においてレベル低下がなされた信号とされる。
【００９９】
ゲイン制御部１０５におけるレベル低下量は、ユーザ入力部１０８を介して設定が可能であり、０倍とした場合は、補間画素の出力は黒画素として出力され、インタレース画像としてのオリジナル画像を反映した画像を見ることができ、１倍とした場合は、ＩＰ変換によって生成された補間画素の画素値をそのまま出力することになりＩＰ変換によって生成したプログレッシブ画像を見ることができる。
【０１００】
最後に、図１４に示すフローチャートを参照して本発明の画像表示装置において実行する処理シーケンスについて説明する。この図１４に示すフローに従った処理は、図５に示す画像表示装置において実行される。なお、全体的な処理制御は、図５に示す制御部１０７によって実行される。例えば、制御部１０７はＣＰＵを有しメモリに記録されたコンピュータ・プログラムに従った処理制御を行なう。
【０１０１】
図１４に示すフローチャートの各ステップの処理について説明する。まず、ステップＳ１０１において、ＩＰ変換処理が実行される。インタレース信号からプログレッシブ信号への変換処理である。この処理は、図５を参照して説明したＩＰ変換部１００において実行される。
【０１０２】
次に、ステップＳ１０２において、プログレッシブ信号（例えば６０Ｈｚ画像信号）をｎ倍速化して、１つのオリジナルフレームからｎ個のサブフレームを生成するサブフレーム生成処理を実行する。この処理は、図５を参照して説明したフレーム制御部１０１において実行される。
【０１０３】
次に、ステップＳ１０３ａ，Ｓ１０３ｂにおいて、高域強調サブフレームと高域抑圧サブフレームの生成処理を実行する。ステップＳ１０２３において、図５に示すハイパスフィルタ（ＨＰＦ）１２１の高域通過フィルタリング処理によってＨＰＦフィルタ結果を生成し、加算器１２２において、さらにフィルタリング処理実行前のデータとの加算処理を実行して高域強調サブフレームを生成する。さらに、ステップＳ１０３ｂにおいて、図５に示すローパスフィルタ（ＬＰＦ）１０３における低域通過フィルタリング処理によって、空間周波数の高い部分がカットされた高域抑圧サブフレームを生成する。
【０１０４】
次に、ステップＳ１０４において、高域強調サブフレームと高域抑圧サブフレームの交互出力を行なう。この処理は、図５を参照して説明した第１セレクタ１０４において実行される。
【０１０５】
次に、ステップＳ１０５において、ステップＳ１０４において出力される高域強調サブフレームと高域抑圧サブフレームとのゲイン制御を実行する。この処理は、図５を参照して説明したゲイン制御部１０５において実行するレベル低下処理であり、ユーザ入力部１０８を介して入力された出力レベル設定値：０〜１倍に基づいて出力フレームのレベルが低下される。
【０１０６】
最後に、ステップＳ１０６において、ゲイン調整データと非調整データの選択出力が実行される。すなわち、補間処理によって生成された画素以外のオリジナルラインは、ゲインを変更することなく出力し、補間処理によって生成された画素ラインについては、ゲイン制御部１０５においてレベル低下された信号を出力する。個の処理は、図５に示す第２セレクタ１０６において実行される。
【０１０７】
この結果表示されるデータは、先に説明した図１３（Ｅ）に示す画像データとなり、高域強調サブフレームと高域抑圧サブフレームとが交互に出力され、各サブフレームに含まれる補間ラインは、ゲイン制御部１０５においてレベル低下がなされた信号として表示される。
【０１０８】
この表示画像は、前述したように、ブラー（Ｂｌｕｒｒｉｎｇ）現象の低減がなされ、かつ明るさやコントラストの低下することのない画像となる。また、ゲイン制御部１０５におけるレベル低下量は、ユーザ入力部１０８を介して設定が可能であり、０倍とした場合は、補間画素の出力は黒画素として出力され、インタレース画像としてのオリジナル画像を反映した画像を見ることができ、１倍とした場合は、ＩＰ変換によって生成された補間画素の画素値をそのまま出力することになりＩＰ変換によって生成したプログレッシブ画像を見ることができる。
【０１０９】
なお、上述した実施例では、入力画像を６０Ｈｚ、フレーム分割数ｎ＝２、出力画像を１２０Ｈｚとした例を説明したが、入出力画像の組み合わせはこの組み合わせに限られず、入力画像より高速でフレーム切り替えを行なうようにオリジナルフレームに基づくサブフレームを設定して、設定したサブフレームを高域強調サブフレームと高域抑圧サブフレームが交互に表示される設定とすれば、同様の効果が得られる。
【０１１０】
例えば、フレーム分割数ｎ＝４として、６０Ｈｚ対応の１つのオリジナルフレーム：ａから４つのサブフレーム：ａ１，ａ２，ａ３，ａ４を生成して、２４０Ｈｚのサブフレーム画像を生成し、これらの４つのサブフレームについて、高域強調サブフレームと高域抑圧サブフレームを、例えば、
ａ１：高域強調サブフレーム
ａ２：高域抑圧サブフレーム
ａ３：高域強調サブフレーム
ａ４：高域抑圧サブフレーム
上記ａ１〜ａ４のように交互に設定して、これらのサブフレームを１／２４０ｓｅｃ間隔で出力表示する構成としてもよい。
【０１１１】
また、上述の実施は例では、表示装置としてＬＣＤを例にして説明したが、ＬＣＤに限らず面ホールド型の表示を行なう表示装置であれば、例えば有機ＥＬディスプレイなどのその他の表示装置においても、本発明は適用可能であり、ブラー（Ｂｌｕｒｒｉｎｇ）現象の低減と、明るさやコントラストの低下のない画像の表示を実現することができる。
【０１１２】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１１３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１１４】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１１５】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１１６】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１１７】
以上、説明したように、本発明の一実施例の構成によれば、フレームを時分割して生成したサブフレームに基づいて、高域強調サブフレームと高域抑圧サブフレームとを生成して、これらを例えば１／１２０ｓｅｃごとに交互に表示する構成とし、さらに、ＩＰ変換において生成した補間画素の表示レベルを調整可能として例えば０〜１倍のレベルでの補間画素表示を可能とした。本構成により、明るさやコントラストを低下させることなくブラー（Ｂｌｕｒｒｉｎｇ）現象を低減した画像表示が実現される。すなわち、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象が低減され、また、高域抑圧サブフレームの挿入による画質に対する影響を高域強調サブフレームで補うことで、明るさやコントラストの低下のない画像表示を実現する画像表示装置や信号処理装置が提供可能となる。
【０１１８】
また、本発明の一実施例の構成によれば、ＩＰ変換において生成した補間画素の表示レベルを調整可能として例えば０〜１倍のレベルでの補間画素表示を可能としたので、補間された画素の表示によるプログレッシブ信号表示のみならず、補間された画素の表示レベルを低下させることで、忠実なオリジナルコンテンツの再生表示を実現する画像表示装置や信号処理装置が提供可能となる。
【図面の簡単な説明】
【０１１９】
【図１】面ホールド型の表示装置におけるブラー（Ｂｌｕｒｒｉｎｇ）の発生について説明する図である。
【図２】インパルス駆動型の表示におけるブラー（Ｂｌｕｒｒｉｎｇ）の減少について説明する図である。
【図３】ＩＰ変換処理について説明する図である。
【図４】ＩＰ変換処理について説明する図である。
【図５】本発明の画像表示装置における信号処理回路を示すブロック図である。
【図６】本発明の装置における出力信号のベースとなるサブフレームの生成、出力処理を説明する図である。
【図７】黒挿入処理に対応する入力および出力信号構成について説明する図である。
【図８】本発明の信号処理に従った入出力信号の対応を示す図である。
【図９】ハイパスフィルタ（ＨＰＦ）とローパスフィルタ（ＬＰＦ）の入力周波数に対する出力周波数特性の一例を示す図である。
【図１０】図９に示すフィルタ出力特性を持つフィルタリング処理例について説明する図である。
【図１１】本発明の処理を適用した場合におけるデータの遷移について説明する図である。
【図１２】本発明の処理を適用した場合におけるデータの遷移について説明する図である。
【図１３】本発明の処理を適用した場合におけるデータの遷移について説明する図である。
【図１４】本発明の画像表示装置において実行する処理シーケンスについて説明するフローチャートを示す図である。
【符号の説明】
【０１２０】
１０  オブジェクト
１１  視線移動軌跡
１５  視線移動軌跡
２１，２２  ユーザ
３０  オブジェクト
３１  視線移動軌跡
４１  ユーザ
５１  表示部
６１  オリジナルライン
６２  補間ライン
１００  ＩＰ変換部
１０１  フレーム制御部
１０２  高域強調サブフレーム生成部
１０３  ローパスフィルタ（ＬＰＦ）
１０４  第１セレクタ
１０５  ゲイン制御部
１０６  第２セレクタ
１０７  制御部
１０８  ユーザ入力部
１２１  ハイパスフィルタ（ＨＰＦ）
１２２  加算器
２０１  表示部
【図１】
2007304205.tif 000003
【図２】
2007304205.tif 000004
【図３】
2007304205.tif 000005
【図４】
2007304205.tif 000006
【図５】
2007304205.tif 000007
【図６】
2007304205.tif 000008
【図９】
2007304205.tif 000009
【図１０】
2007304205.tif 000010
【図１１】
2007304205.tif 000011
【図１４】
2007304205.tif 000012
【図７】
2007304205.tif 000013
【図８】
2007304205.tif 000014
【図１２】
2007304205.tif 000015
【図１３】
2007304205.tif 000016